(57)【要約】【課題】画像の投写、及び音声の出力を制御することができるプロジェクタを提供する。【解決手段】プロジェクタ１は、光源１１と、光源１１から射出された光を画像信号に応じて変調して画像を形成し、画像を投写する画像投写部１０と、音声信号を増幅する音声増幅回路４３ａと、音声増幅回路４３ａによって増幅された音声を出力する音声出力部４３と、操作信号を受信する操作信号受信部（操作パネル２１）と、画像投写部１０が画像の投写を行い、音声出力部４３が音声の出力を行う第１状態、及び、画像投写部１０が画像の投写を行い、音声出力部４３は音声の出力を停止する第２状態、並びに、画像投写部１０は画像の投写を停止し、音声出力部４３が音声の出力を行う第３状態、のいずれか１つの動作状態に切り替え可能な制御部２０と、を備え、制御部２０は、操作信号受信部が受信した操作信号に基づいて、いずれか１つの動作状態に切り替える。【選択図】図１
2010021827.tif 000002
【特許請求の範囲】
【請求項１】
光源と、
前記光源から射出された光を画像信号に応じて変調して画像を形成し、前記画像を投写する画像投写部と、
音声信号を増幅する音声増幅回路と、
前記音声増幅回路によって増幅された音声を出力する音声出力部と、
外部からの操作信号を受信する操作信号受信部と、
前記画像投写部が前記画像の投写を行い、前記音声出力部が前記音声の出力を行う第１状態、及び、前記画像投写部が前記画像の投写を行い、前記音声出力部は前記音声の出力を停止する第２状態、並びに、前記画像投写部は前記画像の投写を停止し、前記音声出力部が前記音声の出力を行う第３状態、のいずれか１つの動作状態に切り替え可能な制御部と、
を備え、
前記制御部は、前記操作信号受信部が受信した前記操作信号に基づいて、いずれか１つの前記動作状態に切り替えることを特徴とするプロジェクタ。
【請求項２】
請求項１に記載のプロジェクタであって、
前記第２状態では前記音声増幅回路が停止しており、前記第３状態では前記光源を消灯していることを特徴とするプロジェクタ。
【請求項３】
請求項１または２に記載のプロジェクタであって、
前記プロジェクタが電源オフの状態において、前記操作信号受信部が前記操作信号を受信した場合に、前記制御部は、前記操作信号に基づいて、前記第１状態、及び前記第２状態、並びに前記第３状態のいずれか１つの動作状態に切り替えることを特徴とするプロジェクタ。
【請求項４】
請求項１乃至３のいずれか一項に記載のプロジェクタであって、
前記プロジェクタが前記第１状態、及び前記第２状態、並びに前記第３状態のいずれか１つの動作状態において、前記操作信号受信部が電源オフを表す前記操作信号を受信した場合に、前記制御部は、前記プロジェクタを電源オフの状態に切り替えることを特徴とするプロジェクタ。
【請求項５】
請求項１乃至４のいずれか一項に記載のプロジェクタであって、
前記操作信号受信部はキー操作受付部とし、前記操作信号は前記キー操作受付部に対するキー入力操作であることを特徴とするプロジェクタ。
【請求項６】
請求項１乃至５のいずれか一項に記載のプロジェクタであって、
前記画像信号が入力されているか否かを検知する画像検知部と、
前記音声信号が入力されているか否かを検知する音声検知部と、
をさらに備え、
前記第１状態において、前記画像検知部及び前記音声検知部の検知結果が共に所定時間継続して入力無しであった場合に、前記制御部は、前記プロジェクタを電源オフの状態に切り替えることを特徴とするプロジェクタ。
【請求項７】
請求項６に記載のプロジェクタであって、
前記第２状態において、前記画像検知部の検知結果が所定時間継続して入力無しであった場合に、前記制御部は、前記プロジェクタを電源オフの状態に切り替えることを特徴とするプロジェクタ。
【請求項８】
請求項６または７に記載のプロジェクタであって、
前記第３状態において、前記音声検知部の検知結果が所定時間継続して入力無しであった場合に、前記制御部は、前記プロジェクタを電源オフの状態に切り替えることを特徴とするプロジェクタ。
【発明の詳細な説明】
【技術分野】
【０００１】
本発明は、プロジェクタに関する。
【背景技術】
【０００２】
従来、プロジェクタには、入力された画像信号に基づいて画像を投写し、且つ入力された音声信号に基づいて音声を出力するものがある。しかし、例えば、出力が大きく、高音質のアンプやスピーカを搭載したプロジェクタの場合、ユーザは、ＣＤ（Compact Disc）プレーヤ等と接続して音声出力のみを楽しみたい場合があった。また、逆に、音声出力を不要として画像のみを投写したい場合もあった。
【０００３】
特許文献１では、スタンバイ状態で、音声入力端子に外部からの接続があった場合に、アンプ（音声増幅回路）に電源を供給して、画像を投写することなく音声を出力するプロジェクタが開示されている。
【０００４】
【特許文献１】特開２００６−３０１２６３号公報
【発明の開示】
【発明が解決しようとする課題】
【０００５】
しかしながら、特許文献１のプロジェクタでは、画像を投写することなく音声を出力することはできるが、音声を出力することなく画像のみ投写することはできなかった。従って、ユーザの好みに応じて、画像の投写、及び音声の出力を制御することができるプロジェクタが求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクタは、光源と、前記光源から射出された光を画像信号に応じて変調して画像を形成し、前記画像を投写する画像投写部と、音声信号を増幅する音声増幅回路と、前記音声増幅回路によって増幅された音声を出力する音声出力部と、外部からの操作信号を受信する操作信号受信部と、前記画像投写部が前記画像の投写を行い、前記音声出力部が前記音声の出力を行う第１状態、及び、前記画像投写部が前記画像の投写を行い、前記音声出力部は前記音声の出力を停止する第２状態、並びに、前記画像投写部は前記画像の投写を停止し、前記音声出力部が前記音声の出力を行う第３状態、のいずれか１つの動作状態に切り替え可能な制御部と、を備え、前記制御部は、前記操作信号受信部が受信した前記操作信号に基づいて、いずれか１つの前記動作状態に切り替えることを特徴とする。
【０００８】
このようなプロジェクタによれば、制御部は、操作信号受信部が受信した操作信号に基づいて、第１状態、及び第２状態、並びに第３状態のいずれか１つの動作状態に切り替える。ここで、第１状態とは、画像の投写を行い、音声の出力を行う動作状態であり、第２状態とは、画像の投写を行い、音声の出力を停止する状態であり、第３状態とは、画像の投写を停止し、音声の出力を行う状態である。これにより、ユーザは、プロジェクタを任意の動作状態に切り替えることができる。
【０００９】
［適用例２］上記適用例に係るプロジェクタにおいて、前記第２状態では前記音声増幅回路が停止しており、前記第３状態では前記光源を消灯していることを特徴とする。
【００１０】
このようなプロジェクタによれば、第２状態では、音声増幅回路（アンプ）が停止（オフ）しているため、消費電力を低減することができる。また、第３状態では、光源が消灯しているため、消費電力を低減することができる。さらに、第３状態では、光源が消灯しているため、ユーザはプロジェクタからの眩しさを感じることがない。
【００１１】
［適用例３］上記適用例に係るプロジェクタにおいて、前記プロジェクタが電源オフの状態において、前記操作信号受信部が前記操作信号を受信した場合に、前記制御部は、前記操作信号に基づいて、前記第１状態、及び前記第２状態、並びに前記第３状態のいずれか１つの動作状態に切り替えることを特徴とする。
【００１２】
このようなプロジェクタによれば、操作信号に基づいて、電源オフの状態から、第１状態、及び第２状態、並びに第３状態のいずれか１つの動作状態に切り替える。これにより、ユーザは、プロジェクタを所望の動作状態で電源オンさせることができる。
【００１３】
［適用例４］上記適用例に係るプロジェクタにおいて、前記プロジェクタが前記第１状態、及び前記第２状態、並びに前記第３状態のいずれか１つの動作状態において、前記操作信号受信部が電源オフを表す前記操作信号を受信した場合に、前記制御部は、前記プロジェクタを電源オフの状態に切り替えることを特徴とする。
【００１４】
このようなプロジェクタによれば、電源オフを表す操作信号によって、第１状態、及び第２状態、並びに第３状態のいずれか１つの動作状態から、電源オフの状態に切り替えることができる。これにより、ユーザは、プロジェクタを各動作状態から電源オフさせることができる。
【００１５】
［適用例５］上記適用例に係るプロジェクタにおいて、前記操作信号受信部はキー操作受付部とし、前記操作信号は前記キー操作受付部に対するキー入力操作であることを特徴とする。
【００１６】
このようなプロジェクタによれば、電源オフの状態、第１状態、第２状態、及び第３状態のいずれか１つの状態に、キー入力操作で切り替えることができる。これにより、ユーザは、キー入力操作によって、容易にプロジェクタを所望の状態に切り替えることができる。
【００１７】
［適用例６］上記適用例に係るプロジェクタにおいて、前記画像信号が入力されているか否かを検知する画像検知部と、前記音声信号が入力されているか否かを検知する音声検知部と、をさらに備え、前記第１状態において、前記画像検知部及び前記音声検知部の検知結果が共に所定時間継続して入力無しであった場合に、前記制御部は、前記プロジェクタを電源オフの状態に切り替えることを特徴とする。
【００１８】
このようなプロジェクタによれば、第１状態において、画像検知部及び音声検知部の検知結果が所定時間継続して入力無しの場合に、制御部はプロジェクタを電源オフの状態に切り替える。これにより、投写する画像信号が無く、出力する音声信号も無い場合に、所定時間でプロジェクタの電源をオフすることが可能となり、無駄な電力の消費を抑制することができる。
【００１９】
［適用例７］上記適用例に係るプロジェクタにおいて、前記第２状態において、前記画像検知部の検知結果が所定時間継続して入力無しであった場合に、前記制御部は、前記プロジェクタを電源オフの状態に切り替えることを特徴とする。
【００２０】
このようなプロジェクタによれば、第２状態において、画像検知部の検知結果が所定時間継続して入力無しの場合に、制御部はプロジェクタを電源オフの状態に切り替える。これにより、音声の出力を停止しており、投写する画像信号が無い場合に、所定時間でプロジェクタの電源をオフすることが可能となり、無駄な電力の消費を抑制することができる。
【００２１】
［適用例８］上記適用例に係るプロジェクタにおいて、前記第３状態において、前記音声検知部の検知結果が所定時間継続して入力無しであった場合に、前記制御部は、前記プロジェクタを電源オフの状態に切り替えることを特徴とする。
【００２２】
このようなプロジェクタによれば、第３状態において、音声検知部の検知結果が所定時間継続して入力無しの場合に、制御部はプロジェクタを電源オフの状態に切り替える。これにより、画像の投写を停止しており、出力する音声信号が無い場合に、所定時間でプロジェクタの電源をオフすることが可能となり、無駄な電力の消費を抑制することができる。
【発明を実施するための最良の形態】
【００２３】
以下、実施形態について説明する。
【００２４】
（実施形態）
図１は、本実施形態に係るプロジェクタの概略構成を示すブロック図である。図１を使用して、プロジェクタ１の内部構成について説明する。
【００２５】
プロジェクタ１は、画像投写部１０、制御部２０、キー操作受付部としての操作パネル２１、光源制御部２２、電源回路２９、画像入力端子群３０、画像入力選択部３１、画像処理部３２、画像検知部３３、音声入力端子群４０、音声入力選択部４１、音声処理部４２、音声出力部４３、スピーカ４４、音声検知部４５等を備えている。また、図１には、プロジェクタ１の外部に、スクリーンＳＣを図示している。
【００２６】
画像投写部１０は、超高圧水銀ランプやメタルハライドランプ等の放電型光源やＬＥＤ（Light Emitting Diode）等の固体光源からなる光源１１と、光変調装置としての液晶ライトバルブ１２と、投写光学系としての投写レンズ１３と、液晶ライトバルブ１２を駆動するライトバルブ駆動部１４とを備えている。
【００２７】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００２８】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２９】
制御部２０は、ＣＰＵ（Central Processing Unit）、各種データの一時記憶等に用いられるＲＡＭ（Random Access Memory）、及び、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部２０は、ＣＰＵが不揮発性のメモリに記憶されている制御プログラムに従って動作することにより、プロジェクタ１の動作を統括制御する。また、制御部２０には、時間の計測を行うタイマ２０ａが備えられている。本実施形態では、タイマ２０ａは、自動電源オフ（オートパワーオフともいう）のための所定時間の経過を計時する。ここで、自動電源オフとは、所定時間（本実施形態では、１０分とする）継続して、各動作状態において有効となる画像信号や音声信号の入力が無い場合に、プロジェクタ１の電源をオフする機能を示す。
【００３０】
操作パネル２１は、プロジェクタ１に対して各種指示を行うための複数のキー等を備えている。操作パネル２１は、ユーザからのキー入力操作（操作信号）を受け付けるキー操作受付部（操作信号受信部）に相当する。
【００３１】
図２は、操作パネル２１を示す平面図である。
図２に示すように、操作パネル２１が備えるキーとしては、電源をオンするための電源１キー５１、電源２キー５２、及び電源３キー５３、電源をオフするための電源オフキー５４、入力ソースを切り替えるための入力切替キー５５、各種設定を行うためのメニュー画像を表示させるメニューキー５６、メニュー画像における項目の選択等に用いられる４つの方向キー５７、メニュー画像において選択された項目を決定するための決定キー５８、動作の取消等を指示する取消キー５９がある。
【００３２】
ユーザが操作パネル２１を操作すると、操作パネル２１は、ユーザの操作内容に応じた信号を制御部２０に出力する。なお、キー操作受付部として、操作パネル２１の他に、リモコン信号受信部（図示せず）と遠隔操作が可能なリモートコントローラ（図示せず）を有した構成としてもよい。この場合、リモートコントローラは、ユーザの操作内容に応じた赤外線等の信号を発し、リモコン信号受信部がこれを受信して制御部２０に伝達する。
【００３３】
図１に戻り、光源制御部２２は、制御部２０の指示に基づいて、光源１１に対する電力の供給と停止とを制御し、光源１１の点灯及び消灯を切り替える。
【００３４】
電源回路２９には、外部からＡＣ１００Ｖ等の商用電源が供給される。電源回路２９は、商用電源（交流電源）を所定の電圧の直流電源に変換して、プロジェクタ１の各部に電力を供給する。また、電源回路２９は、制御部２０の指示に基づいて、画像の投写や音声の出力等に必要なメイン電力と、電源オフの状態（メイン電力の供給を停止して、電源をオンにするための操作を待機する状態）に必要なスタンバイ電力とを切り替えて供給することができる。
【００３５】
画像入力端子群３０は、パーソナルコンピュータやビデオプレーヤ等、外部の画像供給装置から、各種形式の画像信号を入力可能な複数の画像入力端子３０ａを備えている。各画像入力端子３０ａに入力された画像信号は、画像入力選択部３１に供給される。
【００３６】
画像入力選択部３１は、複数の画像入力端子３０ａのうち、制御部２０の指示に基づく１つの画像入力端子３０ａを選択し、この画像入力端子３０ａに入力される画像信号を画像処理部３２及び画像検知部３３に出力する。
【００３７】
画像処理部３２は、画像入力選択部３１から入力される画像信号を、液晶ライトバルブ１２の各画素の階調を表す画像データ、即ち各画素に印加する駆動電圧を規定するための画像データに変換する。そして、制御部２０の指示に基づいて、変換した画像データに対して、明るさ、コントラスト、シャープネス、色合い等を調整するための処理等を行う。さらに、画像処理部３２では、必要に応じてＯＳＤ（オンスクリーンディスプレイ）画像を画像データに重畳する処理を行う。画像処理部３２で画質調整等がなされた画像データは、ライトバルブ駆動部１４に出力される。
【００３８】
ライトバルブ駆動部１４が、画像処理部３２から入力される画像データに従って液晶ライトバルブ１２を駆動すると、液晶ライトバルブ１２は、画像データに応じた画像を形成し、この画像が投写レンズ１３から投写される。
【００３９】
画像検知部３３は、画像入力選択部３１から画像信号を入力し、画像信号の入力の有無を検知する。そして、検知結果を制御部２０に出力する。
【００４０】
音声入力端子群４０は、パーソナルコンピュータやビデオプレーヤ、ＣＤプレーヤ等、外部の音声供給装置から、音声信号を入力可能な複数の音声入力端子４０ａを備えている。各音声入力端子４０ａに入力された音声信号は、音声入力選択部４１に供給される。
【００４１】
音声入力選択部４１は、複数の音声入力端子４０ａのうち、制御部２０の指示に基づく１つの音声入力端子４０ａを選択し、この音声入力端子４０ａに入力される音声信号を音声処理部４２及び音声検知部４５に出力する。
【００４２】
音声処理部４２は、制御部２０の指示に基づいて、音声入力選択部４１から入力される音声信号に、その出力特性を調整するための処理を施す。音声処理部４２で調整処理がされた音声信号は、音声出力部４３に出力される。
【００４３】
音声出力部４３は、音声増幅回路４３ａ等を備えており、音声処理部４２から入力した音声信号を増幅して音声信号に基づいた音声をスピーカ４４から出力する。本実施形態では、音声出力部４３は、制御部２０からの指示によって、音声増幅回路４３ａの動作（オン）及び停止（オフ）を切り替えて音声の出力及び停止を切り替える。
【００４４】
音声検知部４５は、音声入力選択部４１から音声信号を入力し、音声信号の入力の有無を検知する。そして、検知結果を制御部２０に出力する。
【００４５】
次に、プロジェクタ１の状態遷移について説明する。図３は、プロジェクタ１の状態遷移図である。
【００４６】
図３に示すように、プロジェクタ１は、電源オフの状態ＳＴ１０、第１状態ＳＴ１１、第２状態ＳＴ１２、及び第３状態ＳＴ１３の状態に遷移可能となっている。
プロジェクタ１に外部からＡＣ１００Ｖ等の商用電源が供給されると、電源回路２９は、制御部２０、操作パネル２１等に電力（スタンバイ電力）の供給を行う。制御部２０は、この電力供給を受けて、制御プログラムに従った動作を開始する。商用電源が供給された直後には、プロジェクタ１は、電源オフの状態ＳＴ１０（スタンバイの状態）となり、この状態では、制御部２０は、操作パネル２１の電源１キー５１、電源２キー５２、及び電源３キー５３に対する操作（オン操作）を監視する。
【００４７】
電源オフの状態ＳＴ１０において、電源１キー５１のオン操作が行われると、プロジェクタ１は第１状態ＳＴ１１に遷移する。この結果、プロジェクタ１に入力された画像信号に応じた画像が画像投写部１０から投写され、入力された音声信号に応じた音声が音声出力部４３から出力される。また、電源オフの状態ＳＴ１０において、電源２キー５２のオン操作が行われると、プロジェクタ１は第２状態ＳＴ１２に遷移する。この結果、プロジェクタ１に入力された画像信号に応じた画像が画像投写部１０から投写され、音声の出力は停止される。また、電源オフの状態ＳＴ１０において、電源３キー５３のオン操作が行われると、プロジェクタ１は第３状態ＳＴ１３に遷移する。この結果、プロジェクタ１に入力された音声信号に応じた音声が音声出力部４３から出力され、画像の投写は停止される。
【００４８】
第１状態ＳＴ１１において、電源オフキー５４の操作が行われると、プロジェクタ１は電源オフの状態ＳＴ１０に遷移する。この結果、プロジェクタ１は画像の投写が停止され、音声の出力も停止される。また、第１状態ＳＴ１１において、電源２キー５２のオン操作が行われると、プロジェクタ１は第２状態ＳＴ１２に遷移する。この結果、プロジェクタ１に入力された画像信号に応じた画像が画像投写部１０から投写され、音声の出力は停止される。また、第１状態ＳＴ１１において、電源３キー５３のオン操作が行われると、プロジェクタ１は第３状態ＳＴ１３に遷移する。この結果、プロジェクタ１に入力された音声信号に応じた音声が音声出力部４３から出力され、画像の投写は停止される。
【００４９】
第２状態ＳＴ１２において、電源オフキー５４の操作が行われると、プロジェクタ１は電源オフの状態ＳＴ１０に遷移する。この結果、プロジェクタ１は画像の投写が停止され、音声の出力も停止される。また、第２状態ＳＴ１２において、電源１キー５１のオン操作が行われると、プロジェクタ１は第１状態ＳＴ１１に遷移する。この結果、プロジェクタ１に入力された画像信号に応じた画像が画像投写部１０から投写され、入力された音声信号に応じた音声が音声出力部４３から出力される。また、第２状態ＳＴ１２において、電源３キー５３のオン操作が行われると、プロジェクタ１は第３状態ＳＴ１３に遷移する。この結果、プロジェクタ１に入力された音声信号に応じた音声が音声出力部４３から出力され、画像の投写は停止される。
【００５０】
第３状態ＳＴ１３において、電源オフキー５４の操作が行われると、プロジェクタ１は電源オフの状態ＳＴ１０に遷移する。この結果、プロジェクタ１は画像の投写が停止され、音声の出力も停止される。また、第３状態ＳＴ１３において、電源１キー５１のオン操作が行われると、プロジェクタ１は第１状態ＳＴ１１に遷移する。この結果、プロジェクタ１に入力された画像信号に応じた画像が画像投写部１０から投写され、入力された音声信号に応じた音声が音声出力部４３から出力される。また、第３状態ＳＴ１３において、電源２キー５２のオン操作が行われると、プロジェクタ１は第２状態ＳＴ１２に遷移する。この結果、プロジェクタ１に入力された画像信号に応じた画像が画像投写部１０から投写され、音声の出力は停止される。
【００５１】
次に、各状態におけるプロジェクタ１の動作について説明する。まず、電源オフの状態ＳＴ１０におけるプロジェクタ１の動作について説明する。図４は、プロジェクタ１の電源オフの状態ＳＴ１０における動作処理のフローチャートである。
【００５２】
制御部２０は、操作パネル２１からのキーの入力を待つ（ステップＳ１０１）。入力が無ければ（ステップＳ１０１：入力無し）、キー入力待ちを続ける。キーの入力が有れば（ステップＳ１０１：入力有り）、制御部２０は、入力キーが電源オンのためのキーか否かを判断する（ステップＳ１０２）。入力キーが電源オンのためのキーでなかった場合（ステップＳ１０２：ＮＯ）、ステップＳ１０１に戻り、キー入力待ちを行う。本実施形態では、電源オンのためのキーとは、電源１キー５１、電源２キー５２及び電源３キー５３を示す。
【００５３】
入力キーが電源オンのためのキーであった場合（ステップＳ１０２：ＹＥＳ）、制御部２０は、起動処理を行う（ステップＳ１０３）。本実施形態では、起動処理では、制御部２０が電源回路２９に指示をしてメイン電力の供給を開始させる。さらに、制御部２０は、ＣＰＵの初期化やＲＡＭ等のメモリの初期化を行う。また、その他のソフトウェアやハードウェアの初期化等も行われる。また、制御部２０からの指示を受けて、画像処理部３２や音声処理部４２は初期化処理を行う。なお、この起動処理では、光源制御部２２は光源１１の点灯を行わず、また、音声出力部４３は音声増幅回路４３ａのオンも行わない。
【００５４】
次に、制御部２０は、電源オンのためのキーの種類を判別する（ステップＳ１０４）。電源オンのためのキーの種類が、電源１キー５１であった場合（ステップＳ１０４：電源１キー）、制御部２０は、光源制御部２２に指示を出して、光源１１を点灯させる（ステップＳ１０５）。さらに、制御部２０は、音声出力部４３に指示を出して、音声増幅回路４３ａをオンさせる（ステップＳ１０６）。そして、制御部２０は、状態（動作状態）を第１状態ＳＴ１１とする（ステップＳ１０７）。即ち、プロジェクタ１を第１状態ＳＴ１１に遷移させる。そして、制御部２０は、自動電源オフのための計時をスタートする（ステップＳ１０８）。そして、電源オフの状態ＳＴ１０における動作処理を終了する。
【００５５】
この結果、プロジェクタ１に入力された画像信号に応じた画像が画像投写部１０から投写され、入力された音声信号に応じた音声が音声出力部４３から出力される。
【００５６】
電源オンのためのキーの種類が、電源２キー５２であった場合（ステップＳ１０４：電源２キー）、制御部２０は、光源制御部２２に指示を出して、光源１１を点灯させる（ステップＳ１０９）。そして、制御部２０は、状態（動作状態）を第２状態ＳＴ１２とする（ステップＳ１１０）。即ち、プロジェクタ１を第２状態ＳＴ１２に遷移させる。そして、制御部２０は、自動電源オフのための計時をスタートする（ステップＳ１０８）。そして、電源オフの状態ＳＴ１０における動作処理を終了する。
【００５７】
この結果、プロジェクタ１に入力された画像信号に応じた画像が画像投写部１０から投写され、音声の出力は停止される。
【００５８】
電源オンのためのキーの種類が、電源３キー５３であった場合（ステップＳ１０４：電源３キー）、制御部２０は、音声出力部４３に指示を出して、音声増幅回路４３ａをオンさせる（ステップＳ１１１）。そして、制御部２０は、状態（動作状態）を第３状態ＳＴ１３とする（ステップＳ１１２）。即ち、プロジェクタ１を第３状態ＳＴ１３に遷移させる。そして、制御部２０は、自動電源オフのための計時をスタートする（ステップＳ１０８）。そして、電源オフの状態ＳＴ１０における動作処理を終了する。
【００５９】
この結果、入力された音声信号に応じた音声が音声出力部４３から出力され、画像の投写は停止される。
【００６０】
上述したように、プロジェクタ１は、電源オフの状態ＳＴ１０から第１状態ＳＴ１１、第２状態ＳＴ１２、及び第３状態ＳＴ１３に遷移することができる。
【００６１】
次に、第１状態ＳＴ１１におけるプロジェクタ１の動作について説明する。図５は、プロジェクタ１の第１状態ＳＴ１１における動作処理のフローチャートである。
【００６２】
制御部２０は、操作パネル２１からのキーの入力を待つ（ステップＳ２０１）。キーの入力が有れば（ステップＳ２０１：入力有り）、制御部２０は、自動電源オフのための計時を再スタート（タイマ２０ａをリセットして再スタート）する（ステップＳ２０２）。そして、制御部２０は、入力キーが電源関係のキーか否かを判断する（ステップＳ２０３）。本実施形態では、電源関係のキーとは、電源１キー５１、電源２キー５２、電源３キー５３及び電源オフキー５４を示す。
【００６３】
入力キーが電源関係のキーであった場合（ステップＳ２０３：ＹＥＳ）、制御部２０は、入力キーの種類を判別する（ステップＳ２０４）。入力キーの種類が、電源オフキー５４であった場合（ステップＳ２０４：電源オフキー）、制御部２０は、光源制御部２２に指示を出して光源１１を消灯させる（ステップＳ２０５）。さらに、制御部２０は、音声出力部４３に指示を出して、音声増幅回路４３ａをオフさせる（ステップＳ２０６）。そして、制御部２０は、状態を電源オフの状態ＳＴ１０とする（ステップＳ２０７）。即ち、プロジェクタ１を電源オフの状態ＳＴ１０に遷移させる。そして、制御部２０は、電源オフ処理を行う（ステップＳ２０８）。そして、第１状態ＳＴ１１における動作処理を終了する。
【００６４】
本実施形態では、電源オフ処理は、プロジェクタ１の電源オフに伴って行われる処理を示し、電源オフに対応したソフトウェアやハードウェアの処理等を含む。さらに、電源オフ処理では、制御部２０は電源回路２９に指示をしてメイン電力の供給を停止し、スタンバイ電力に切り替える。
【００６５】
この結果、プロジェクタ１は電源オフの状態ＳＴ１０となり、画像の投写は停止され、音声の出力も停止される。
【００６６】
入力キーの種類が、電源２キー５２であった場合（ステップＳ２０４：電源２キー）、制御部２０は、音声出力部４３に指示を出して、音声増幅回路４３ａをオフさせる（ステップＳ２０９）。そして、制御部２０は、状態（動作状態）を第２状態ＳＴ１２とする（ステップＳ２１０）。即ち、プロジェクタ１を第２状態ＳＴ１２に遷移させる。そして、第１状態ＳＴ１１における動作処理を終了する。
【００６７】
この結果、プロジェクタ１に入力された画像信号に応じた画像が画像投写部１０から投写され、音声の出力は停止される。
【００６８】
入力キーの種類が、電源３キー５３であった場合（ステップＳ２０４：電源３キー）、制御部２０は、光源制御部２２に指示を出して光源１１を消灯させる（ステップＳ２１１）。そして、制御部２０は、状態（動作状態）を第３状態ＳＴ１３とする（ステップＳ２１２）。即ち、プロジェクタ１を第３状態ＳＴ１３に遷移させる。そして、第１状態ＳＴ１１における動作処理を終了する。
【００６９】
この結果、プロジェクタ１に入力された音声信号に応じた音声が音声出力部４３から出力され、画像の投写は停止される。
【００７０】
入力キーの種類が、電源１キー５１であった場合（ステップＳ２０４：電源１キー）、ステップＳ２０１に戻って、キー入力待ちを行う。この場合は、動作状態は変化しない。
【００７１】
入力キーが電源関係のキーでなかった場合（ステップＳ２０３：ＮＯ）、制御部２０は、入力キーに応じた各種の処理を行う（ステップＳ２１３）。そして、ステップＳ２０１に戻って、キー入力待ちを行う。この場合は、動作状態は変化しない。
【００７２】
キーの入力が無い場合（ステップＳ２０１：入力無し）、制御部２０は、画像検知部３３から検知結果を入力して画像信号の入力の有無を判断する（ステップＳ２１４）。そして、検知結果が入力有りの場合（ステップＳ２１４：ＹＥＳ）、制御部２０は、自動電源オフのための計時を再スタートする（ステップＳ２１６）。そして、ステップＳ２０１に戻って、キー入力待ちを行う。
【００７３】
画像信号の入力の有無についての検知結果が入力無しの場合（ステップＳ２１４：ＮＯ）、制御部２０は、音声検知部４５から検知結果を入力して音声信号の入力の有無を判断する（ステップＳ２１５）。そして、検知結果が入力有りの場合（ステップＳ２１５：ＹＥＳ）、制御部２０は、自動電源オフのための計時を再スタートする（ステップＳ２１６）。そして、ステップＳ２０１に戻って、キー入力待ちを行う。
【００７４】
音声信号の入力の有無についての検知結果が入力無しの場合（ステップＳ２１５：ＮＯ）、制御部２０は、タイマ２０ａの計時時間が自動電源オフの所定時間（１０分）に達したか否かを判断する（ステップＳ２１７）。所定時間に達していなければ（ステップＳ２１７：ＮＯ）、ステップＳ２０１に戻って、キー入力待ちを行う。所定時間に達していれば（ステップＳ２１７：ＹＥＳ）、ステップＳ２０５に移行して光源１１を消灯する。さらに、ステップＳ２０６〜ステップＳ２０８によって、音声増幅回路４３ａをオフし、電源オフの状態ＳＴ１０として、プロジェクタ１を電源オフする。これにより、プロジェクタ１は自動電源オフとなる。
【００７５】
上述したように、プロジェクタ１は、第１状態ＳＴ１１から電源オフの状態ＳＴ１０、第２状態ＳＴ１２、及び第３状態ＳＴ１３に遷移することができる。
【００７６】
次に、第２状態ＳＴ１２におけるプロジェクタ１の動作について説明する。図６は、プロジェクタ１の第２状態ＳＴ１２における動作処理のフローチャートである。
【００７７】
制御部２０は、操作パネル２１からのキーの入力を待つ（ステップＳ３０１）。キーの入力が有れば（ステップＳ３０１：入力有り）、制御部２０は、自動電源オフのための計時を再スタートする（ステップＳ３０２）。そして、制御部２０は、入力キーが電源関係のキーか否かを判断する（ステップＳ３０３）。
【００７８】
入力キーが電源関係のキーであった場合（ステップＳ３０３：ＹＥＳ）、制御部２０は、入力キーの種類を判別する（ステップＳ３０４）。入力キーの種類が、電源オフキー５４であった場合（ステップＳ３０４：電源オフキー）、制御部２０は、光源制御部２２に指示を出して光源１１を消灯させる（ステップＳ３０５）。そして、制御部２０は、状態を電源オフの状態ＳＴ１０とする（ステップＳ３０６）。即ち、プロジェクタ１を電源オフの状態ＳＴ１０に遷移させる。そして、制御部２０は、電源オフ処理を行う（ステップＳ３０７）。そして、第２状態ＳＴ１２における動作処理を終了する。
【００７９】
この結果、プロジェクタ１は電源オフの状態ＳＴ１０となり、画像の投写は停止され、音声の出力も停止される。
【００８０】
入力キーの種類が、電源１キー５１であった場合（ステップＳ３０４：電源１キー）、制御部２０は、音声出力部４３に指示を出して、音声増幅回路４３ａをオンさせる（ステップＳ３０８）。そして、制御部２０は、状態（動作状態）を第１状態ＳＴ１１とする（ステップＳ３０９）。即ち、プロジェクタ１を第１状態ＳＴ１１に遷移させる。そして、第２状態ＳＴ１２における動作処理を終了する。
【００８１】
この結果、プロジェクタ１に入力された画像信号に応じた画像が画像投写部１０から投写され、入力された音声信号に応じた音声が音声出力部４３から出力される。
【００８２】
入力キーの種類が、電源３キー５３であった場合（ステップＳ３０４：電源３キー）、制御部２０は、光源制御部２２に指示を出して光源１１を消灯させる（ステップＳ３１０）。さらに、制御部２０は、音声出力部４３に指示を出して、音声増幅回路４３ａをオンさせる（ステップＳ３１１）。そして、制御部２０は、状態（動作状態）を第３状態ＳＴ１３とする（ステップＳ３１２）。即ち、プロジェクタ１を第３状態ＳＴ１３に遷移させる。そして、第２状態ＳＴ１２における動作処理を終了する。
【００８３】
この結果、プロジェクタ１に入力された音声信号に応じた音声が音声出力部４３から出力され、画像の投写は停止される。
【００８４】
入力キーの種類が、電源２キー５２であった場合（ステップＳ３０４：電源２キー）、ステップＳ３０１に戻って、キー入力待ちを行う。この場合は、動作状態は変化しない。
【００８５】
入力キーが電源関係のキーでなかった場合（ステップＳ３０３：ＮＯ）、制御部２０は、入力キーに応じた各種の処理を行う（ステップＳ３１３）。そして、ステップＳ３０１に戻って、キー入力待ちを行う。この場合は、動作状態は変化しない。
【００８６】
キーの入力が無い場合（ステップＳ３０１：入力無し）、制御部２０は、画像検知部３３から検知結果を入力して画像信号の入力の有無を判断する（ステップＳ３１４）。そして、検知結果が入力有りの場合（ステップＳ３１４：ＹＥＳ）、制御部２０は、自動電源オフのための計時を再スタートする（ステップＳ３１５）。そして、ステップＳ３０１に戻って、キー入力待ちを行う。
【００８７】
画像信号の入力の有無についての検知結果が入力無しの場合（ステップＳ３１４：ＮＯ）、制御部２０は、タイマ２０ａの計時時間が自動電源オフの所定時間（１０分）に達したか否かを判断する（ステップＳ３１６）。所定時間に達していなければ（ステップＳ３１６：ＮＯ）、ステップＳ３０１に戻って、キー入力待ちを行う。所定時間に達していれば（ステップＳ３１６：ＹＥＳ）、ステップＳ３０５に移行して光源１１を消灯する。さらに、ステップＳ３０６〜ステップＳ３０７によって、電源オフの状態ＳＴ１０として、プロジェクタ１を電源オフする。これにより、プロジェクタ１は自動電源オフとなる。
【００８８】
上述したように、プロジェクタ１は、第２状態ＳＴ１２から電源オフの状態ＳＴ１０、第１状態ＳＴ１１、及び第３状態ＳＴ１３に遷移することができる。
【００８９】
次に、第３状態ＳＴ１３におけるプロジェクタ１の動作について説明する。図７は、プロジェクタ１の第３状態ＳＴ１３における動作処理のフローチャートである。
【００９０】
制御部２０は、操作パネル２１からのキーの入力を待つ（ステップＳ４０１）。キーの入力が有れば（ステップＳ４０１：入力有り）、制御部２０は、自動電源オフのための計時を再スタートする（ステップＳ４０２）。そして、制御部２０は、入力キーが電源関係のキーか否かを判断する（ステップＳ４０３）。
【００９１】
入力キーが電源関係のキーであった場合（ステップＳ４０３：ＹＥＳ）、制御部２０は、入力キーの種類を判別する（ステップＳ４０４）。入力キーの種類が、電源オフキー５４であった場合（ステップＳ４０４：電源オフキー）、制御部２０は、音声出力部４３に指示を出して音声増幅回路４３ａをオフさせる（ステップＳ４０５）。そして、制御部２０は、状態を電源オフの状態ＳＴ１０とする（ステップＳ４０６）。即ち、プロジェクタ１を電源オフの状態ＳＴ１０に遷移させる。そして、制御部２０は、電源オフ処理を行う（ステップＳ４０７）。そして、第３状態ＳＴ１３における動作処理を終了する。
【００９２】
この結果、プロジェクタ１は電源オフの状態ＳＴ１０となり、画像の投写は停止され、音声の出力も停止される。
【００９３】
入力キーの種類が、電源１キー５１であった場合（ステップＳ４０４：電源１キー）、制御部２０は、光源制御部２２に指示を出して、光源１１を点灯させる（ステップＳ４０８）。そして、制御部２０は、状態（動作状態）を第１状態ＳＴ１１とする（ステップＳ４０９）。即ち、プロジェクタ１を第１状態ＳＴ１１に遷移させる。そして、第３状態ＳＴ１３における動作処理を終了する。
【００９４】
この結果、プロジェクタ１に入力された画像信号に応じた画像が画像投写部１０から投写され、入力された音声信号に応じた音声が音声出力部４３から出力される。
【００９５】
入力キーの種類が、電源２キー５２であった場合（ステップＳ４０４：電源２キー）、制御部２０は、光源制御部２２に指示を出して光源１１を点灯させる（ステップＳ４１０）。さらに、制御部２０は、音声出力部４３に指示を出して、音声増幅回路４３ａをオフさせる（ステップＳ４１１）。そして、制御部２０は、状態（動作状態）を第２状態ＳＴ１２とする（ステップＳ４１２）。即ち、プロジェクタ１を第２状態ＳＴ１２に遷移させる。そして、第３状態ＳＴ１３における動作処理を終了する。
【００９６】
この結果、プロジェクタ１に入力された画像信号に応じた画像が画像投写部１０から投写され、音声の出力は停止される。
【００９７】
入力キーの種類が、電源３キー５３であった場合（ステップＳ４０４：電源３キー）、ステップＳ４０１に戻って、キー入力待ちを行う。この場合は、動作状態は変化しない。
【００９８】
入力キーが電源関係のキーでなかった場合（ステップＳ４０３：ＮＯ）、制御部２０は、入力キーに応じた各種の処理を行う（ステップＳ４１３）。そして、ステップＳ４０１に戻って、キー入力待ちを行う。この場合は、動作状態は変化しない。
【００９９】
キーの入力が無い場合（ステップＳ４０１：入力無し）、制御部２０は、音声検知部４５から検知結果を入力して音声信号の入力の有無を判断する（ステップＳ４１４）。そして、検知結果が入力有りの場合（ステップＳ４１４：ＹＥＳ）、制御部２０は、自動電源オフのための計時を再スタートする（ステップＳ４１５）。そして、ステップＳ４０１に戻って、キー入力待ちを行う。
【０１００】
音声信号の入力の有無についての検知結果が入力無しの場合（ステップＳ４１４：ＮＯ）、制御部２０は、タイマ２０ａの計時時間が自動電源オフの所定時間（１０分）に達したか否かを判断する（ステップＳ４１６）。所定時間に達していなければ（ステップＳ４１６：ＮＯ）、ステップＳ４０１に戻って、キー入力待ちを行う。所定時間に達していれば（ステップＳ４１６：ＹＥＳ）、ステップＳ４０５に移行して音声増幅回路４３ａをオフする。さらに、ステップＳ４０６〜ステップＳ４０７によって、電源オフの状態ＳＴ１０として、プロジェクタ１を電源オフする。これにより、プロジェクタ１は自動電源オフとなる。
【０１０１】
上述したように、プロジェクタ１は、第３状態ＳＴ１３から電源オフの状態ＳＴ１０、第１状態ＳＴ１１、及び第２状態ＳＴ１２に遷移することができる。
【０１０２】
上述した実施形態によれば、以下の効果が得られる。
（１）プロジェクタ１は、操作パネル２１に備わる電源１キー５１の押下によって、画像の投写を行い、音声の出力を行う第１状態ＳＴ１１に切り替えることができる。また、電源２キー５２の押下によって、画像の投写を行い、音声の出力を停止する第２状態ＳＴ１２に切り替えることができる。また、電源３キー５３の押下によって、画像の投写を停止し、音声の出力を行う第３状態ＳＴ１３に切り替えることができる。これにより、ユーザは、画像と音声を楽しみたい場合には第１状態ＳＴ１１とし、画像のみを楽しみたい場合には第２状態ＳＴ１２とし、音声のみを楽しみたい場合には第３状態ＳＴ１３として、プロジェクタ１の動作状態を任意に切り替え、視聴することが可能となるため、利便性が高い。
【０１０３】
（２）プロジェクタ１は、第２状態ＳＴ１２では、音声増幅回路４３ａが停止（オフ）しているため、消費電力を低減することができる。また、第３状態ＳＴ１３では、光源１１が消灯しているため、消費電力を低減することができる。さらに、第３状態ＳＴ１３では、光源１１が消灯しているため、ユーザはプロジェクタ１からの眩しさを感じることがなく、快適に音声を楽しむことができる。
【０１０４】
（３）プロジェクタ１は、操作パネル２１に備わる電源１キー５１、電源２キー５２、及び電源３キー５３の押下によって、電源オフの状態ＳＴ１０から、第１状態ＳＴ１１、及び第２状態ＳＴ１２、並びに第３状態ＳＴ１３のいずれか１つの動作状態に切り替えることができる。これにより、ユーザは、プロジェクタ１を所望の動作状態で電源オンさせることが可能となる。例えば、電源オフの状態ＳＴ１０から、第１状態ＳＴ１１を経由することなく、第２状態ＳＴ１２または第３状態ＳＴ１３で電源オンすることができるため、操作の煩わしさが少なく、利便性が高い。
【０１０５】
（４）プロジェクタ１は、操作パネル２１に備わる電源オフキー５４の押下によって、第１状態ＳＴ１１、及び第２状態ＳＴ１２、並びに第３状態ＳＴ１３のいずれか１つの動作状態から、電源オフの状態ＳＴ１０に切り替えることができる。これにより、ユーザは、プロジェクタ１を各動作状態から電源オフさせることができるため、利便性が高い。
【０１０６】
（５）プロジェクタ１は、操作パネル２１に備わる電源１キー５１、電源２キー５２、電源３キー５３、及び電源オフキー５４の入力操作によって、第１状態ＳＴ１１、第２状態ＳＴ１２、第３状態ＳＴ１３、及び電源オフの状態ＳＴ１０のいずれか１つの状態に切り替えることができる。これにより、ユーザは、操作パネル２１のキー入力操作によって、容易にプロジェクタ１を所望の状態に切り替えることができる。
【０１０７】
（６）プロジェクタ１は、第１状態ＳＴ１１において、画像検知部３３及び音声検知部４５の検知結果が所定時間継続して入力無しの場合、プロジェクタ１を電源オフの状態ＳＴ１０に切り替える。これにより、投写する画像信号が無く、出力する音声信号も無い場合に、自動電源オフ（オートパワーオフ）することが可能となり、無駄な電力の消費を抑制することができる。
【０１０８】
（７）プロジェクタ１は、第２状態ＳＴ１２において、画像検知部３３の検知結果が所定時間継続して入力無しの場合、プロジェクタ１を電源オフの状態ＳＴ１０に切り替える。これにより、音声の出力を停止しており、投写する画像信号が無い場合に、自動電源オフすることが可能となり、無駄な電力の消費を抑制することができる。
【０１０９】
（８）プロジェクタ１は、第３状態ＳＴ１３において、音声検知部４５の検知結果が所定時間継続して入力無しの場合、プロジェクタ１を電源オフの状態ＳＴ１０に切り替える。これにより、画像の投写を停止しており、出力する音声信号が無い場合に、自動電源オフすることが可能となり、無駄な電力の消費を抑制することができる。
【０１１０】
（９）プロジェクタ１は、第１状態ＳＴ１１、第２状態ＳＴ１２、及び第３状態ＳＴ１３において、キー入力が行われた場合には、自動電源オフのための計時を再スタートする。これにより、画像信号や音声信号の入力が無い場合でも、ユーザがプロジェクタ１を操作（キー入力）している場合には、自動電源オフが行われることはないため、利便性が向上する。
【０１１１】
なお、上述した実施形態に限定されず、種々の変更や改良等を加えて実施することが可能である。変形例を以下に述べる。
【０１１２】
（変形例１）上記実施形態では、操作信号受信部は、キー操作受付部（操作パネル２１）としたが、これに限定するものではない。例えば、プロジェクタ１に対する操作信号等を送受信するＩＰネットワーク通信部（図示せず）やＲＳ−２３２Ｃ通信部（図示せず）、ＵＳＢ（Universal Serial Bus）通信部（図示せず）等としてもよい。
【０１１３】
（変形例２）上記実施形態では、操作パネル２１に電源関係のキーとして、電源１キー５１、電源２キー５２、電源３キー５３、及び電源オフキー５４の４つのキーを備えるものとしたが、電源関係のキーの数はこの４つに限定するものではない。例えば、電源関係のキーを少なくし、他のキーも含めて複数キーを同時押下することで、上述した４つのキーに相当する機能を実現してもよい。
【０１１４】
（変形例３）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【図面の簡単な説明】
【０１１５】
【図１】実施形態に係るプロジェクタの概略構成を示すブロック図。
【図２】操作パネルを示す平面図。
【図３】プロジェクタの状態遷移図。
【図４】プロジェクタの電源オフの状態における動作処理のフローチャート。
【図５】プロジェクタの第１状態における動作処理のフローチャート。
【図６】プロジェクタの第２状態における動作処理のフローチャート。
【図７】プロジェクタの第３状態における動作処理のフローチャート。
【符号の説明】
【０１１６】
１…プロジェクタ、１０…画像投写部、１１…光源、１２…液晶ライトバルブ、１３…投写レンズ、１４…ライトバルブ駆動部、２０…制御部、２０ａ…タイマ、２１…操作パネル、２２…光源制御部、２９…電源回路、３０…画像入力端子群、３０ａ…画像入力端子、３１…画像入力選択部、３２…画像処理部、３３…画像検知部、４０…音声入力端子群、４０ａ…音声入力端子、４１…音声入力選択部、４２…音声処理部、４３…音声出力部、４３ａ…音声増幅回路、４４…スピーカ、４５…音声検知部、５１…電源１キー、５２…電源２キー、５３…電源３キー、５４…電源オフキー、５５…入力切替キー、５６…メニューキー、５７…方向キー、５８…決定キー、５９…取消キー。
【図１】
2010021827.tif 000003
【図２】
2010021827.tif 000004
【図３】
2010021827.tif 000005
【図４】
2010021827.tif 000006
【図５】
2010021827.tif 000007
【図６】
2010021827.tif 000008
【図７】
2010021827.tif 000009